【事件の表示】
　特願２０１４−１５９２３８号「遊技機」拒絶査定不服審判事件〔平成２８年３月２２日出願公開、特開２０１６−３６３５５号〕について、次のとおり審決する。
【結　論】
　本件審判の請求は、成り立たない。
【理　由】
第１　手続の経緯の概要
　本願は、平成２６年８月５日の出願であって、平成２９年１月１６日付けで拒絶の理由が通知され、同年３月２７日に意見書及び手続補正書が提出され、同年７月２８日付けで最後の拒絶の理由が通知され、同年１０月５日に意見書及び手続補正書が提出されたところ、平成３０年１月２４日付け（発送日：同年１月３０日）で、平成２９年１０月５日付け手続補正が却下されるとともに拒絶査定がなされ、それに対して、平成３０年４月１６日に拒絶査定不服審判の請求がなされると同時に手続補正がなされたものである。
　
第２　平成３０年４月１６日にされた手続補正についての補正却下の決定
［補正の却下の決定の結論］
　平成３０年４月１６日にされた手続補正（以下「本件補正」という。）を却下する。
　
［理由］
　１　補正の内容
　本件補正により、平成２９年３月２７日付け手続補正書の特許請求の範囲の請求項１における
「可変表示を行い、遊技者にとって有利な有利状態に制御可能な遊技機であって、
　可変表示に関する情報を、保留記憶として記憶する保留記憶手段と、
　前記保留記憶手段に記憶されている前記保留記憶の各々に対応した保留表示を表示する保留表示制御手段と、
　前記保留表示とは異なる画像である保留画像を前記保留記憶に対応して表示する保留画像表示制御手段とを備え、
　前記保留表示制御手段は、前記有利状態に制御されることに対する期待度に応じて異なる表示態様により前記保留表示を表示させ、
　前記保留画像表示制御手段は、
　遊技状態に応じて前記保留画像の表示を制御可能であるとともに、
　前記保留記憶が記憶されていない場合に、前記保留画像を表示させないように制御可能である
　ことを特徴とする遊技機。」は、
　審判請求時に提出された手続補正書（平成３０年４月１６日付け）における
「可変表示を行い、遊技者にとって有利な有利状態に制御可能な遊技機であって、
　可変表示に関する情報を、保留記憶
情報
　前記保留記憶手段に記憶されている前記保留記憶
情報
　前記保留表示とは異なる画像である保留画像を前記保留記憶
情報
　前記保留表示制御手段は、前記有利状態に制御されることに対する期待度に応じて異なる表示態様により前記保留表示を表示させ、
　前記保留画像表示制御手段は、
　
通常状態であるか、前記有利状態とは異なり遊技者にとって前記通常状態より有利な
である特別遊技状態であるか
　前記保留記憶
情報
において、前記通常状態であるときには前記保留記憶情報が記憶されていないことを示す前記保留画像を表示可能であり、前記特別遊技状態であるときには
　ことを特徴とする遊技機。」に補正された（下線は、補正箇所を明示するために当審にて付した。）。
　
　２　補正の適否
　本件補正は、補正前の請求項１〜２のうちの請求項１について、
（１）請求項１に記載した発明を特定するために必要な事項である「保留記憶」に関して、「保留記憶
情報
（２）請求項１に記載した発明を特定するために必要な事項である「保留画像表示制御手段」に関して、
　（２−１）「遊技状態に応じて前記保留画像の表示を制御可能である」とあったものを「
通常状態であるか、前記有利状態とは異なり遊技者にとって前記通常状態より有利な
である特別遊技状態であるか
　（２−２）「前記保留記憶が記憶されていない場合に、前記保留画像を表示させないように制御可能である」とあったものを「前記保留記憶
情報
において、前記通常状態であるときには前記保留記憶情報が記憶されていないことを示す前記保留画像を表示可能であり、前記特別遊技状態であるときには
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、上記（１）の補正については、願書に最初に添付した明細書の【０１７５】〜【０１８０】の記載からみて新規事項を追加するものではなく、上記（２）（２−１）の補正については、願書に最初に添付した明細書の【００４３】、【００５４】、【００６２】、【０５２０】の記載からみて新規事項を追加するものではなく、また、上記（２）（２−２）の補正については、願書に最初に添付した明細書の【０５２０】等の記載からみて新規事項を追加するものではないから、特許法第１７条の２第３項に規定する要件を満たす。
　
　３　独立特許要件
　そこで、本件補正後の請求項１に係る発明（以下「本件補正発明」という。）が特許出願の際に独立して特許を受けることができるものであるか、すなわち、特許法第１７条の２第６項において準用する同法第１２６条第７項の規定に適合するかについて、以下に検討する。
　（１）本件補正発明
　本件補正発明は、次のとおりのものであると認める（記号Ａ〜Ｈは、分説するため審決にて付した。）。
「Ａ　可変表示を行い、遊技者にとって有利な有利状態に制御可能な遊技機であって、
Ｂ　可変表示に関する情報を、保留記憶情報として記憶する保留記憶手段と、
Ｃ　前記保留記憶手段に記憶されている前記保留記憶情報の各々に対応した保留表示を表示する保留表示制御手段と、
Ｄ　前記保留表示とは異なる画像である保留画像を前記保留記憶情報に対応して表示する保留画像表示制御手段とを備え、
Ｅ　前記保留表示制御手段は、前記有利状態に制御されることに対する期待度に応じて異なる表示態様により前記保留表示を表示させ、
Ｆ　前記保留画像表示制御手段は、
Ｇ　通常状態であるか、前記有利状態とは異なり遊技者にとって前記通常状態より有利な遊技状態である特別遊技状態であるかに応じて前記保留画像の表示を制御可能であるとともに、
Ｈ　前記保留記憶情報が記憶されていない場合において、前記通常状態であるときには前記保留記憶情報が記憶されていないことを示す前記保留画像を表示可能であり、前記特別遊技状態であるときには前記保留画像を表示させないように制御可能である
　ことを特徴とする遊技機。」
　
　（２）刊行物１
　原査定の拒絶理由において引用された、本願の出願前に頒布された刊行物である特許第５４６６７７５号公報（以下「刊行物１」という。）には、図面と共に次の事項が記載されている（下線部は当審で付した。以下同様。）。
　
　　　ア　記載事項
　　　（ア）「【技術分野】
【０００１】
　本発明は、
弾球遊技機
・・・
【発明が解決しようとする課題】
【０００４】
　しかしながら、従来の遊技台では、
保留数の表示態様が単調である
【０００５】
　本発明は、このような従来の問題点を解決するためになされたものであって、
多彩な演出を行う
　
　　　（イ）「【００２７】
　普図保留ランプ２１６は、保留している普図変動遊技（詳細は後述）の数を示すためのランプであり、本実施形態では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施形態では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。」
　
　　　（ウ）「【００４１】
　＜制御部＞
　次に、図４を用いて、このパチンコ機１００の制御部の回路構成について詳細に説明する。なお、同図は制御部の回路ブロック図を示したものである。パチンコ機１００の制御部は、大別すると、遊技の中枢部分を制御する主制御部３００と、主制御部３００が送信するコマンド信号（以下、単に「コマンド」という）に応じて
主に演出の制御を行う第１副制御部４００
　
　　　（エ）「【００６２】
　図５（ｃ）は装飾柄の一例を示したものである。本実施形態の装飾図柄には、「装飾１」〜「装飾１０」の１０種類がある。特図１始動口２３０または特図２始動口２３２に球が入賞したこと、すなわち、特図１始動口２３０に球が入球したことを第１始動口センサが検出したこと、あるいは特図２始動口２３２に球が入球したことを第２始動口センサが検出したことを条件にして、
装飾図柄表示装置２０８の
各図柄表示領域に
「装飾図柄の変動表示」を行う。
　
　　　（オ）「【００８６】
　
特図１始動口２３０へ入賞があった場合かつＲＡＭ３０８に設けた対応する特図１保留数記憶領域が満タンでない場合、
特図１当選乱数値を取得するとともに、ＲＡＭ３０８に設けた特図１乱数値生成用乱数カウンタから特図１乱数値を取得して特図１乱数値記憶領域に取得順に格納する。
特図１当選乱数値および特図１乱数値の組のデータ（始動情報）
　
　　　（カ）「【０１３５】
　ステップＳ３１１では、増加した特図１始動情報（特図１当選乱数値および特図１乱数値の組）を、特図１関連抽選処理（ステップＳ２３１）での当否判定処理よりも前に、特図１乱数値記憶領域から先読みする。そして、先読みした特図１始動情報と、例えば当否判定時に用いる当否判定用テーブルおよび特図決定用テーブルを用いて、当該
始動情報に係る特図１変動遊技の停止図柄を、
事前判定する。
・・・
【０１４０】
　図９は、ＲＡＭ３０８内の先読み結果記憶部に先読み結果情報等が記憶された状態を例示している。図９（ａ）は、特図１用先読み結果記憶部に特図１先読み結果情報が記憶された状態の一例を示している。図９（ａ）に示すように、特図１用先読み結果記憶部は、例えば
特図１変動遊技の保留可能数
（
４つ）
  
　　　（キ）「【０２０９】
　［演出画像表示の実施形態］
　＜保留表示画像、変動表示画像および示唆表示＞
　図１４に示す
第１副制御部メイン処理の演出制御処理
に、装飾図柄表示装置２０８による演出画像表示があり、演出画像（演出）の一例としては、保留表示画像
を用いた演出がある。
【０２１０】
　本実施形態では、
装飾図柄表示装置２０８の一部の領域に
ＲＡＭ３０８に設けられた特図１の乱数値記憶領域に記憶されている
始動情報に対応した保留表示画像が表示される。
【０２１１】
　また、装飾図柄表示装置２０８の一部の領域に、特図１の変動表示画像が表示される。特図１の変動表示画像は、特図１の変動遊技が開始していること、すなわち当該変動を示す画像であり、保留表示画像とは異なる態様で表示される画像である。また、装飾図柄表示装置２０８の一部の領域に、特図２の変動表示画像が表示される。特図２の変動表示画像は、特図２の変動遊技が開始していること、すなわち当該変動を示す画像であり、保留表示画像とは異なる態様で表示される画像である。第１副制御部４００は、特図の図柄変動開始コマンドに基づいて、装飾図柄表示装置２０８を制御し、変動表示画像の数を１つ増加させる。一方、第１副制御部４００は、変動停止の合図となる特図の図柄停止コマンドを受信する度に装飾図柄表示装置２０８を制御し、変動表示画像の数を１つ減少させる。
【０２１２】
　また、装飾図柄表示装置２０８の一部の領域に、遊技者に視認可能な表示態様の示唆表示が表示される。示唆表示は、保留表示画像および変動表示画像の表示領域を示唆する表示であり、ここでは、静止画像あるいは動画像からなる表示示唆画像を例に説明する。すなわち、
第１副制御部４００は、
表示示唆画像を表示し
【０２１３】
　本実施形態では上記の
保留表示画像を保留アイコンといい
各保留アイコンは、その表示態様によって当該保留の当否についての先読み予告が可能である。
【０２１４】
　また、保留アイコンには関連するアニメーションがある。保留アイコンに関連するアニメーションとしては、例えば、保留が増加して新たな保留アイコンが表示される場合に実行されるアニメーション（以下、「保留アイコンの増加アニメーション」という場合がある）、先の保留が消化されたことによって当該保留の順位が変動し、保留アイコンが別の表示位置（例えば左隣の位置）に移動する場合に実行されるアニメーション（以下、「保留アイコンの移動アニメーション」という場合がある）、
先読み結果
に基づいて保留アイコンの表示態様が変化する
　
　　　（ク）「【０２２６】
　＜アイコン表示領域＞
　本実施形態では、
装飾図柄表示装置２０８の一部には、アイコン表示領域８００を設けている。
　
　　　（ケ）「【０４８１】
　
＜実施例Ｋ＞
　図３８は、実施例Ｋに係る演出表示を時系列に示した図である。図３８に示す期間は例えば
確変中の期間であり、そのことを示唆する演出（ここでは例えば「確変中」の文字）等が装飾図柄表示装置２０８に連続して表示されている。
・・・
【０４８８】
　このように、
本実施例では、確変中の場合には特図２表示示唆画像ＳＩ２を常に表示する。
通常遊技状態では、特図１表示示唆画像ＳＩ１を左に、特図２表示示唆画像ＳＩ２を右に配置しているが、確変中は図３８に示すように、特図１表示示唆画像ＳＩ１を右に、特図２表示示唆画像ＳＩ２を左に配置する。
　
　　　（コ）「【０５１７】
　
＜実施例Ｍ＞
　図４１から図４３は、実施例Ｍに係る演出表示を時系列に示した図である。図４１（ａ）〜図４１（ｃ）の期間では、
第１副制御部４００は、
【０５１８】
　更に実施例Ｍでは、
装飾図柄表示装置２０８の一部に、補助アイコンＰＩＡを表示する。
特図１の保留数を表示する特図１補助アイコンＰＩＡ１
・・・
【０５２０】
　また、
装飾図柄表示装置２０８の
上辺右端部に、補助アイコンＰＩＡを表示する。ここでは、補助アイコンＰＩＡは、ハート型の画像で特図１を表しその後ろに続く「×Ｎ（Ｎは数字）」でその保留数を表示する特図１補助アイコンＰＩＡ１
である。
　
　　　（サ）「【０５８７】
　ステップＳ１４０７では、特図の
大当り遊技
（アタッカ開閉動作
）である
　
　　　イ　認定事項
　　　（シ）刊行物１には、【００４１】に「・・・主に演出の制御を行う第１副制御部４００・・・」と記載され、【０１４０】に「特図１変動遊技の保留可能数・・・（・・・４つ）」と記載され、【０５１７】、【０５１８】に「＜実施例Ｍ＞・・・第１副制御部４００は、・・・装飾図柄表示装置２０８の一部に、補助アイコンＰＩＡを表示する。・・・特図１の保留数を表示する特図１補助アイコンＰＩＡ１・・・」と記載され、【０５２０】に「・・・装飾図柄表示装置２０８の例えば上辺右端部に、補助アイコンＰＩＡを表示する。ここでは、補助アイコンＰＩＡは、ハート型の画像で特図１を表しその後ろに続く「×Ｎ（Ｎは数字）」でその保留数を表示する特図１補助アイコンＰＩＡ１・・・である。」と記載されている。
　また、刊行物１には、実施例Ｍに係る演出表示を時系列に示した図である【図４１】〜【図４３】に、特図１の保留数が０の場合について、装飾図柄表示装置２０８の上辺右端部に、特図１補助アイコンＰＩＡ１として「ハート型×０」を表示することが図示されている。
　
【図４１】
　
【図４２】
　
　
【図４３】
　
　したがって、刊行物１には、「
第１副制御部４００は、装飾図柄表示装置２０８の上辺右端部に、特図１の保留数を表示する特図１補助アイコンＰＩＡ１として「ハート型×Ｎ（Ｎは０〜４）」を表示する
　
　　　（ス）刊行物１には、「特図１補助アイコンＰＩＡ１」に関して、認定事項（シ）が示されていることは上記したとおりである。
　そして、刊行物１には、【０４８８】に「・・・通常遊技状態では、特図１表示示唆画像ＳＩ１を左に、特図２表示示唆画像ＳＩ２を右に配置している・・・」と記載されている。
　また、刊行物１には、実施例Ｍに係る演出表示を時系列に示した図である【図４１】〜【図４３】に、通常遊技状態において、特図１表示示唆画像ＳＩ１を装飾図柄表示装置２０８の下辺左端部に、特図２表示示唆画像ＳＩ２を装飾図柄表示装置２０８の右辺中央部に配置することが図示されている。
　したがって、刊行物１には、「
第１副制御部４００は、特図１表示示唆画像ＳＩ１を装飾図柄表示装置２０８の下辺左端部に、特図２表示示唆画像ＳＩ２を装飾図柄表示装置２０８の右辺中央部に配置する通常遊技状態において、装飾図柄表示装置２０８の上辺右端部に、特図１の保留数を表示する特図１補助アイコンＰＩＡ１として「ハート型×Ｎ（Ｎは０〜４）」を表示する
　
　　　（セ）刊行物１には、【００４１】に「・・・主に演出の制御を行う第１副制御部４００・・・」と記載され、【０４８１】、【０４８８】に「＜実施例Ｋ＞・・・確変中の期間であり、そのことを示唆する演出（ここでは例えば「確変中」の文字）等が装飾図柄表示装置２０８に連続して表示されている。・・・本実施例では、確変中の場合には特図２表示示唆画像ＳＩ２を常に表示する。・・・確変中は図３８に示すように、特図１表示示唆画像ＳＩ１を右に、特図２表示示唆画像ＳＩ２を左に配置する。」と記載されている。
　そして、実施例Ｋに係る演出表示を時系列に示した図である【図３８】には、確変中の場合において、特図１表示示唆画像ＳＩ１を装飾図柄表示装置２０８の下辺右端部に、特図２表示示唆画像ＳＩ２を装飾図柄表示装置２０８の下辺左側に配置することが図示されている。
　
【図３８】
　
　
　したがって、刊行物１には、「
第１副制御部４００は、特図１表示示唆画像ＳＩ１を装飾図柄表示装置２０８の下辺右端部に、特図２表示示唆画像ＳＩ２を装飾図柄表示装置２０８の下辺左側に配置する確変中の場合には、「確変中」の文字を装飾図柄表示装置２０８の上辺右端部に常に表示する
　
　　　ウ　刊行物発明
　上記（ア）〜（サ）の記載事項、（シ）〜（セ）の認定事項、及び、図面の図示内容を総合勘案すると、刊行物１には、次の発明（以下「刊行物発明」という。）が記載されていると認められる（ａ〜ｈは、本件補正発明の構成Ａ〜Ｈに対応させて付与した。）。
「ａ　装飾図柄表示装置２０８の各図柄表示領域で装飾図柄の変動表示を行い（【００６２】）、アタッカを開閉動作する大当り遊技を実行可能な弾球遊技機であって（【０５８７】、【０００１】）、
ｂ　特図１始動口２３０へ入賞があった場合かつＲＡＭ３０８に設けた対応する特図１保留数記憶領域が満タンでない場合、特図１変動遊技の停止図柄を事前判定するために用いられる始動情報を取得順に格納するＲＡＭ３０８の特図１乱数値記憶領域（【００８６】、【０１３５】）と、
ｃ　第１副制御部メイン処理の演出制御処理において、装飾図柄表示装置２０８の一部のアイコン表示領域に、ＲＡＭ３０８に設けられた特図１乱数値記憶領域に記憶されている始動情報に対応した保留表示画像（保留アイコン）を表示する演出の制御を行う第１副制御部４００（【００４１】、【０２０９】〜【０２１０】、【０２１３】、【０２２６】）と、
ｄ　第１副制御部４００は、装飾図柄表示装置２０８の上辺右端部に、特図１の保留数を表示する特図１補助アイコンＰＩＡ１として「ハート型×Ｎ（Ｎは０〜４）」を表示し（認定事項シ）、
ｅ　第１副制御部４００は、その表示態様によって当該保留の当否についての先読み予告が可能であるように、先読み結果に基づいて保留アイコンの表示態様を変化させ（【００４１】、【０２１２】〜【０２１４】）、
ｆ〜ｈ　第１副制御部４００は、
　特図１表示示唆画像ＳＩ１を装飾図柄表示装置２０８の下辺左端部に、特図２表示示唆画像ＳＩ２を装飾図柄表示装置２０８の右辺中央部に配置する通常遊技状態において、装飾図柄表示装置２０８の上辺右端部に、特図１の保留数を表示する特図１補助アイコンＰＩＡ１として「ハート型×Ｎ（Ｎは０〜４）」を表示し（認定事項（ス））、
　特図１表示示唆画像ＳＩ１を装飾図柄表示装置２０８の下辺右端部に、特図２表示示唆画像ＳＩ２を装飾図柄表示装置２０８の下辺左側に配置する確変中の場合には、「確変中」の文字を装飾図柄表示装置２０８の上辺右端部に常に表示する（認定事項（セ））
　弾球遊技機。」
　
　（３）対比
　　　ア　本件補正発明と刊行物発明とを対比する（対比にあたっては、本件補正発明の構成Ａ〜Ｈと刊行物発明の構成ａ〜ｈについて、それぞれ（ａ）〜（ｈ）の見出しを付して行った。）。
　　　（ａ）刊行物発明における「装飾図柄表示装置２０８の各図柄表示領域で装飾図柄の変動表示を行」うことは、本件補正発明における「可変表示を行」うことに相当する。
　そして、刊行物発明における「アタッカを開閉動作する大当り遊技を実行可能な」ことは、本件補正発明における「遊技者にとって有利な有利状態に制御可能な」ことに相当する。
　したがって、刊行物発明における構成ａの「装飾図柄表示装置２０８の各図柄表示領域で装飾図柄の変動表示を行い、アタッカを開閉動作する大当り遊技を実行可能な弾球遊技機」は、本件補正発明における構成Ａの「可変表示を行い、遊技者にとって有利な有利状態に制御可能な遊技機」に相当する。
　
　　　（ｂ）刊行物発明における「始動情報」は、「特図１変動遊技の停止図柄を事前判定するために用いられる」情報であって、「特図１変動遊技」に関する情報であるから、本件補正発明における「可変表示に関する情報」に相当する。
　
　そして、刊行物発明における「始動情報を取得順に格納する」ことは、構成ｃより、「始動情報に対応し」て「保留表示画像（保留アイコン）」が表示されることから、「始動情報」は「保留」のために記憶される情報であるといえる。
　そうすると、刊行物発明における「始動情報」は、本件補正発明における「保留記憶情報」に相当し、刊行物発明における「始動情報を取得順に格納する」ことは、本件補正発明における「保留記憶情報として記憶する」ことに相当する。
　
　したがって、刊行物発明における構成ｂの「特図１変動遊技の停止図柄を事前判定するために用いられる始動情報を取得順に格納するＲＡＭ３０８の特図１乱数値記憶領域」は、本件補正発明における構成Ｂの「可変表示に関する情報を、保留記憶情報として記憶する保留記憶手段」に相当する。
　
　　　（ｃ）上記（ｂ）より、刊行物発明における「特図１乱数値記憶領域に記憶されている始動情報」は、本件補正発明における「保留記憶手段に記憶されている保留記憶情報」に相当する。
　
　そして、刊行物発明における「保留表示画像（保留アイコン）」は、本件補正発明における「保留表示」に相当する。
　また、刊行物発明における「保留表示画像（保留アイコン）を表示する演出」は、「始動情報に対応」するものである。
　したがって、刊行物発明における「保留表示画像（保留アイコン）を表示する演出」は、本件補正発明における「保留記憶情報の各々に対応した保留表示を表示する」ことに相当する。
　
　よって、刊行物発明における構成ｃの「第１副制御部メイン処理の演出制御処理において、装飾図柄表示装置２０８の一部のアイコン表示領域に、ＲＡＭ３０８に設けられた特図１乱数値記憶領域に記憶されている始動情報に対応した保留表示画像（保留アイコン）を表示する演出の制御を行う第１副制御部４００」は、本件補正発明における構成Ｃの「保留記憶手段に記憶されている保留記憶情報の各々に対応した保留表示を表示する保留表示制御手段」としての機能を有する。
　
　　　（ｄ）刊行物発明における「特図１の保留数を表示する特図１補助アイコンＰＩＡ１」は、「保留表示画像（保留アイコン）」とは異なる画像であって、「始動情報」の数に対応する「保留数」情報を表示するものであるから、本件補正発明における「保留記憶情報に対応して表示」される「保留表示とは異なる画像である保留画像」に相当する。
　したがって、刊行物発明における構成ｄの「装飾図柄表示装置２０８の上辺右端部に、特図１の保留数を表示する特図１補助アイコンＰＩＡ１として「ハート型×Ｎ（Ｎは０〜４）」を表示」する「第１副制御部４００」は、本件補正発明における構成Ｄの「保留表示とは異なる画像である保留画像を保留記憶情報に対応して表示する保留画像表示制御手段」としての機能を有する。
　
　　　（ｅ）上記（ｃ）より、刊行物発明における「保留表示画像（保留アイコン）」は、本件補正発明における「保留表示」に相当する。
　
　そして、刊行物発明における「保留の当否についての先読み予告が可能であるように、先読み結果に基づ」くことは、本件補正発明における「有利状態に制御されることに対する期待度に応じ」ることに相当する。
　また、刊行物発明における「保留アイコンの表示態様を変化させ」ることと、本件補正発明における「異なる表示態様により保留表示を表示させ」ることとは、「保留表示の表示態様を異ならせて表示させることが可能である」ことで共通する。
　
　したがって、刊行物発明における構成ｅの「その表示態様によって当該保留の当否についての先読み予告が可能であるように、先読み結果に基づいて保留アイコンの表示態様を変化させ」る「第１副制御部４００」と、本件補正発明における構成Ｅの「有利状態に制御されることに対する期待度に応じて異なる表示態様により保留表示を表示させ」る「保留表示制御手段」とは、「有利状態に制御されることに対する期待度に応じて保留表示の表示態様を異ならせて表示させることが可能である保留表示制御手段」である点で共通する。
　
　　　（ｆ、ｇ）刊行物発明における「通常遊技状態」は、本件補正発明における「通常状態」に相当する。
　
　そして、刊行物発明における「確変中」が、「大当り遊技」とは異なる遊技状態であって、「通常遊技状態」に比して大当り確率を高くした分、遊技者にとって有利な遊技状態であることは、当業者にとって明らかである。そうすると、刊行物発明における「確変中」は、本件補正発明における「有利状態とは異なり遊技者にとって通常状態より有利な遊技状態である特別遊技状態」に相当する。
　
　また、上記（ｄ）より、刊行物発明における「特図１補助アイコンＰＩＡ１」としての「ハート型×Ｎ（Ｎは０〜４）」のうち、Ｎが１〜４の場合の特図１補助アイコンＰＩＡ１、すなわち、「ハート型×１」、「ハート型×２」、「ハート型×３」、「ハート型×４」は、本件補正発明における「保留画像」に相当する。
　そうすると、刊行物発明は、「装飾図柄表示装置２０８の上辺右端部に」、「通常遊技状態」においては、Ｎが１〜４の場合の「特図１補助アイコンＰＩＡ１を表示」する一方、「確変中」においては、「「確変中」の文字を」「常に表示」し、Ｎが１〜４の場合の「特図１補助アイコンＰＩＡ１を表示」しないといえる。
　すなわち、刊行物発明は、遊技状態が「通常遊技状態」であって、Ｎが１〜４の場合、「特図１補助アイコンＰＩＡ１」の表示を行うように制御されるが、「確変中」であって、Ｎが１〜４の場合、「特図１補助アイコンＰＩＡ１」の表示が行われないように制御される、すなわち、遊技状態に応じて「特図１補助アイコンＰＩＡ１」の表示の有無を制御可能なものである。
　ここで、本件補正発明における「保留画像の表示を制御」することには、保留画像の表示を行わないように制御することも含むものである。
　したがって、刊行物発明におけるＮが１〜４の場合、「通常遊技状態において、装飾図柄表示装置２０８の上辺右端部に、特図１の保留数を表示する特図１補助アイコンＰＩＡ１として「ハート型×Ｎ（Ｎは１〜４）」を表示し」、「確変中の場合には、「確変中」の文字を装飾図柄表示装置２０８の上辺右端部に常に表示する」ことは、本件補正発明における「通常状態であるか、有利状態とは異なり遊技者にとって通常状態より有利な遊技状態である特別遊技状態であるかに応じて保留画像の表示を制御可能である」ことに相当する。
　
　よって、刊行物発明における構成ｆ〜ｈのうち、「通常遊技状態において、装飾図柄表示装置２０８の上辺右端部に、特図１の保留数を表示する特図１補助アイコンＰＩＡ１として「ハート型×Ｎ（Ｎは１〜４）」を表示し」、「確変中の場合には、「確変中」の文字を装飾図柄表示装置２０８の上辺右端部に常に表示する」「第１副制御部４００」は、本件補正発明における構成Ｆ、Ｇの「通常状態であるか、有利状態とは異なり遊技者にとって通常状態より有利な遊技状態である特別遊技状態であるかに応じて保留画像の表示を制御可能である」「保留画像表示制御手段」としての機能を有する。
　
　　　（ｆ、ｈ）上記（ｆ、ｇ）より、刊行物発明は、遊技状態が「通常遊技状態」であって、Ｎが０の場合、「特図１補助アイコンＰＩＡ１」の表示を、「装飾図柄表示装置２０８の上辺右端部」に「ハート型×０」と表示することにより行うが、遊技状態が「確変中」の場合、「「確変中」の文字を」「装飾図柄表示装置２０８の上辺右端部」に常に表示する」ため、Ｎが０の場合の「特図１補助アイコンＰＩＡ１」の表示を行わないといえる。
　したがって、刊行物発明における構成ｆ〜ｈのうち、「通常遊技状態において、装飾図柄表示装置２０８の上辺右端部に、特図１の保留数を表示する特図１補助アイコンＰＩＡ１として「ハート型×Ｎ（Ｎは０）」を表示し」、「確変中の場合には、「確変中」の文字を装飾図柄表示装置２０８の上辺右端部に常に表示する」「第１副制御部４００」は、本件補正発明における構成Ｆ、Ｈの「保留記憶情報が記憶されていない場合において、通常状態であるときには保留記憶情報が記憶されていないことを示す保留画像を表示可能であり、特別遊技状態であるときには保留画像を表示させないように制御可能である」「保留画像表示制御手段」としての機能を有する。
　
　　　イ　上記（ａ）〜（ｆ、ｈ）より、両者の一致点および相違点は、次のとおりである。
［一致点］
「Ａ　可変表示を行い、遊技者にとって有利な有利状態に制御可能な遊技機であって、
Ｂ　可変表示に関する情報を、保留記憶情報として記憶する保留記憶手段と、
Ｃ　前記保留記憶手段に記憶されている前記保留記憶情報の各々に対応した保留表示を表示する保留表示制御手段と、
Ｄ　前記保留表示とは異なる画像である保留画像を前記保留記憶情報に対応して表示する保留画像表示制御手段とを備え、
Ｅ’前記保留表示制御手段は、前記有利状態に制御されることに対する期待度に応じて前記保留表示の表示態様を異ならせて表示させ、
Ｆ　前記保留画像表示制御手段は、
Ｇ　通常状態であるか、前記有利状態とは異なり遊技者にとって前記通常状態より有利な遊技状態である特別遊技状態であるかに応じて前記保留画像の表示を制御可能であるとともに、
Ｈ　前記保留記憶情報が記憶されていない場合において、前記通常状態であるときには前記保留記憶情報が記憶されていないことを示す前記保留画像を表示可能であり、前記特別遊技状態であるときには前記保留画像を表示させないように制御可能である
　遊技機。」
　
［相違点］（構成Ｅ）
　保留表示制御手段による保留表示の表示に関し、
　本件補正発明は、有利状態に制御されることに対する期待度に応じて異なる表示態様により保留表示を表示させるのに対して、
　引用発明は、「その表示態様によって当該保留の当否についての先読み予告が可能であるように、先読み結果に基づいて保留アイコンの表示態様を変化させ」るが、本件補正発明の上記構成を備えるか否か明らかでない点。
　
　（４）当審の判断
　　　ア　相違点（構成Ｅ）について
　上記相違点について検討する。
　遊技機の技術分野において、大当り期待度に応じて異なる表示態様により保留表示を表示させることは、本願出願前に周知の技術事項である（例えば、特開２０１４−１３８８１２号公報には、遊技の興趣を向上させるために（【０００５】）、「各種別ごとに用意された報知態様は、信頼度を表すものになっている。ここにいう信頼度は、先読み予告が偽の先読み予告ではなく真の先読み予告であることの信頼度である。すなわち、当否判定の結果が特定の当否判定結果（ここでは１５Ｒの大当り（図５（ａ）に示す特図Ａ又は特図Ｂ））になることがどれだけ正しいかを表す程度（％）である（以下、同じ）。なお、信頼度は、大当り確率×表示態様の選択率／（大当り確率×表示態様の選択率＋ハズレ確率×表示態様の選択率）で求めることができる。保留アイコン変化における悪商人の報知態様は、上述の保留予告Ａの表示態様と同じであるが、ここでは、信頼度が３％である先読み予告になり、殿様の報知態様は、上述の保留予告Ｂの表示態様と同じであるが、ここでは、信頼度が３０％である先読み予告になる。一方、家紋の表示態様は、信頼度が１００％の先読み予告になる。」（【０３０７】、【図２７】を参照。）ことが記載され、
　特開２０１３−２４２号公報には、遊技の興趣を向上させるために（【０００６】）、「図２９（Ａ）の先読み予告決定テーブル１は、・・・図示するように、先読み予告決定テーブル１の白以外の色の表示態様が予告演出の表示態様となり、各表示態様の実行確率は、図示するとおりである。先読み予告決定テーブル２及び３についても、同様に、白以外の色の表示態様が予告演出の表示態様となり、各表示態様の決定割合は、それぞれ図示するとおりである。先読み予告決定テーブル１〜３のいずれも、「大当り」の場合に、先読み予告が実行される確率が高くなっており、且つ、この場合、「赤」の表示態様の決定割合が最も高く、ついで「黄色」、そして「青」が最も低く設定されている。つまり、「赤」の表示態様の保留表示が行われた場合には「大当り」となる可能性が最も高く、ついで「黄色」、そして「青」というように設定されており、換言すれば、「赤」、「黄色」、「青」の順に信頼度が設定されている。」（【０２８３】【図２９】を参照。）ことが記載されている。以下「周知の技術事項」という。）。
　
　そして、刊行物発明と上記周知の技術事項とは、多彩な演出を行うという共通の課題を解決するものである。
　したがって、刊行物発明に上記周知の技術事項を適用して、先読み結果に基づく保留アイコンの表示態様の変化を、大当り期待度に応じて異ならせた表示態様とし、上記相違点に係る本件補正発明の構成とすることは当業者が容易になし得たものである。
　
　　　イ　請求人の主張について
　請求人は、平成３０年４月１６日付け審判請求書の「（４）本願発明と引用文献に記載された発明との比較」において、次の主張をする。
「本願発明と引用文献に記載された発明とを比較すると、引用文献１〜２に記載された発明を組み合わせたとしても（さらに、引用文献３に記載された発明を組み合わせたとしても）、少なくとも、上記の（ｅ）の構成要素が大きく異なる。
　本願発明では、上記の（ｅ）の構成要素を備えることによって、通常状態であるか、有利状態とは異なり遊技者にとって通常状態より有利な遊技状態である特別遊技状態であるかに応じて保留画像の表示を制御可能であるように構成されている。そのような構成を備えることによって、本願発明では、遊技状態が通常状態であるか特別遊技状態であるかに応じて保留画像の表示を制御することによって、遊技に対する興趣の向上を図ることができる。
　また、引用文献１〜２に記載された発明を組み合わせたとしても（さらに、引用文献３に記載された発明を組み合わせたとしても）、上記の（ｆ）の構成要素も大きく異なる。
　本願発明では、上記の（ｆ）の構成要素を備えることによって、保留記憶情報が記憶されていない場合において、通常状態であるときには保留記憶情報が記憶されていないことを示す保留画像を表示可能であり、特別遊技状態であるときには保留画像を表示させないように制御可能であるように構成されている。そのような構成を備えることによって、本願発明では、遊技状況の誤解に伴う興趣低下を抑制できるとともに、保留記憶情報がない場合の興趣低下を抑制する効果をより発揮することができる。
・・・
　これに対して、引用文献１には、保留表示や保留画像と類似した構成として、特図１表示示唆画像ＳＩ１や、特図１補助アイコンＰＩＡ１、特図２補助アイコン２を表示することが記載されているが、通常状態であるか特別遊技状態であるかに応じて保留画像の表示を制御可能としたり、保留記憶情報が記憶されていない場合において通常状態であるときには保留記憶情報が記憶されていないことを示す保留画像を表示可能とし、特別遊技状態であるときには保留画像を表示させないように制御可能としたりするという上記の（ｅ），（ｆ）のように構成することは何ら記載も示唆もされていない。」
　
　そこで、請求人の上記主張について検討する。
　上記請求人の主張において、（ｅ）の構成要素、（ｆ）の構成要素は、それぞれ、本件補正発明における構成Ｆ、Ｇ、構成Ｆ、Ｈに対応するものである。
　そして、本件補正発明における構成Ｇの「保留画像の表示を制御」することには、保留画像の表示を行わないように制御することも含むものであることから、上記（３）（ｆ、ｇ）において検討したように、刊行物発明におけるＮが１〜４の場合の構成ｆ〜ｈは、本件補正発明における構成Ｆ、Ｇに相当する。
　同様に、上記（３）（ｆ、ｈ）において検討したように、刊行物発明におけるＮが０の場合の構成ｆ〜ｈは、本件補正発明における構成Ｆ、Ｈに相当する。
　したがって、本件補正発明の構成Ｆ〜Ｈは、刊行物発明が備える構成である。
　よって、請求人の上記主張を採用することはできない。
　
　ここでは、本件補正発明の構成Ｇについて、仮に、構成Ｇの「保留画像の表示を制御」することが、保留画像の表示を行わないように制御することを含まないものであるとした場合について、さらに検討する。
　刊行物発明は、構成ｆ〜ｈより、「通常遊技状態では」「特図１表示示唆画像ＳＩ１を左に、特図２表示示唆画像ＳＩ２を右に配置」し、「確変中の期間」「特図１表示示唆画像ＳＩ１を右に、特図２表示示唆画像ＳＩ２を左に配置」するものである。
　このように、刊行物発明は、特図表示示唆画像についてではあるが、遊技状態が通常遊技状態であるか、確変遊技状態であるかに応じて、「特図１表示示唆画像ＳＩ１」と「特図２表示示唆画像ＳＩ２」の表示位置を変更するように、保留に係る表示を制御可能とするものである。
　したがって、このことを、刊行物発明における構成ｆ〜ｈにおけるＮが１〜４の場合の特図補助アイコンに適用して、
通常遊技状態である場合は、特図１補助アイコンを装飾図柄表示装置２０８の上辺右端部に表示し、確変遊技状態である場合は、「確変中」の文字を装飾図柄表示装置２０８の上辺右端部に表示するのであるから、確変遊技状態である場合、確変遊技状態の際に頻繁に表示される特図２補助アイコンをさらに装飾図柄表示装置２０８の上辺右端部以外の部分に表示することも当業者が容易になし得たものである。
　
　　　ウ　小括
　本件補正発明により奏される効果は、刊行物発明、及び、上記周知の技術事項から当業者が予測できる効果の範囲内のものであり、格別なものではない。
　そうすると、上記ア及びイにおいて検討したとおり、本件補正発明は、刊行物発明、及び、上記周知の技術事項に基づいて当業者が容易に発明をすることができたものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１〜２に係る発明は、平成２９年３月２７日付け手続補正書により補正された特許請求の範囲の請求項１〜２に記載されたとおりのものであるところ、その請求項１に係る発明（以下「本願発明」という。記号Ａ〜Ｈ’は、分説するため当審で付した。）は、次のとおりのものと認める。
「Ａ　可変表示を行い、遊技者にとって有利な有利状態に制御可能な遊技機であって、
Ｂ’可変表示に関する情報を、保留記憶として記憶する保留記憶手段と、
Ｃ’前記保留記憶手段に記憶されている前記保留記憶の各々に対応した保留表示を表示する保留表示制御手段と、
Ｄ’前記保留表示とは異なる画像である保留画像を前記保留記憶に対応して表示する保留画像表示制御手段とを備え、
Ｅ　前記保留表示制御手段は、前記有利状態に制御されることに対する期待度に応じて異なる表示態様により前記保留表示を表示させ、
Ｆ　前記保留画像表示制御手段は、
Ｇ’遊技状態に応じて前記保留画像の表示を制御可能であるとともに、
Ｈ’前記保留記憶が記憶されていない場合に、前記保留画像を表示させないように制御可能である
　ことを特徴とする遊技機。」
　
　２　拒絶の理由（平成２９年７月２８日付け）
　原査定の拒絶の理由は、概略、次のとおりのものである。
（進歩性）本願の請求項１に係る発明は、その出願前に日本国内において、頒布された下記の刊行物に記載された発明、及び、周知技術に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　　　　　　　　　　　　　〈引用文献等一覧〉
　刊行物１：特許第５４６６７７５号公報
　刊行物２：特開第５５０７７２７号公報
　
　３　刊行物に記載された事項
　原査定の拒絶理由において提示された、刊行物１である特許第５４６６７７５号公報（前記「第２　３（２）」における「刊行物」に対応する。）の記載事項及び刊行物発明の認定については、前記「第２　３（２）刊行物１」に記載したとおりである。
　
　４　対比・判断
　本願発明は、前記「第２　３（１）」で検討した本件補正発明における構成Ａ〜Ｈのうち、構成Ｂ〜Ｄについて、「保留記憶
情報
　構成Ｇについて「
通常状態であるか、前記有利状態とは異なり遊技者にとって前記通常状態より有利な
である特別遊技状態であるか
　構成Ｈについて「前記保留記憶
情報
において、前記通常状態であるときには前記保留記憶情報が記憶されていないことを示す前記保留画像を表示可能であり、前記特別遊技状態であるときには
　そして、前記「第２　３（３）対比」で検討した内容からみて、刊行物発明における構成ｂ〜ｄ、ｇ〜ｈは、本願発明の構成Ｂ’〜Ｄ’、Ｇ’〜Ｈ’に、それぞれ、相当する。
　そうすると、本願発明と刊行物発明とは、本件補正発明と同様に、前記「第２　３（３）対比」における相違点（構成Ｅ）において相違し、その余の点において一致する。
　
　そして、相違点（構成Ｅ）についての判断は、前記「第２　３（４）当審の判断　ア　相違点（構成Ｅ）について」において検討したとおりである。
　したがって、本願発明は、刊行物発明に前記周知の技術事項を適用することにより当業者が容易になし得たものである。
　
５　むすび
　以上のとおりであるから、本願発明は、特許法第２９条第２項の規定により特許を受けることができない。
　したがって、その余の請求項について検討するまでもなく、本願は拒絶すべきものである。
　
　よって、結論のとおり審決する。